(57)【要約】【課題】ワイパーによって、雨天でない場合の乾燥状態のガラス面の塵埃などによる汚れを、ワイパーそのものを変更することなく、容易に払拭することができ、視界を確保することができる、キャブのワイパー補助装置を提供する。【解決手段】ワイパー補助装置（３４）が、ワイパー（２６、３２）により払拭されるガラス窓（１８，２０）に向け流体を噴射する複数個の噴射口（３６）を有した噴射体（３８）と、加圧した流体を噴射体（３８）に断続自在に供給する流体供給源（４０）を備える。【選択図】図１
2007276675.tif 000002
【特許請求の範囲】
【請求項１】
ワイパーにより払拭されるガラス窓に向けて流体を噴射する複数個の噴射口を有した噴射体と、
加圧した流体を噴射体に断続自在に供給する流体供給源と
を備えている、ことを特徴とするキャブのワイパー補助装置。
【請求項２】
流体供給源が、
流体のタンクと、
流体の供給を断続する断続手段と、
断続手段を操作する操作手段と
を備えている、ことを特徴とする請求項１記載のキャブのワイパー補助装置。
【請求項３】
噴射体が、
ガラス窓の縁部に沿って延びる管体を備えている、
ことを特徴とする請求項１または２記載のキャブのワイパー補助装置。
【請求項４】
管体の内外を貫通する噴射口としての貫通穴を備え、該流体が管体内に供給される、
ことを特徴とする請求項３記載のキャブのワイパー補助装置。
【請求項５】
管体に取り付けた噴射口としての噴射ノズルを備え、該流体が管体内を通し流体供給源につながる配管により噴射ノズルに供給される、
ことを特徴とする請求項３記載のキャブのワイパー補助装置。
【請求項６】
ワイパーにより払拭されるガラス窓を有したドアの開状態を検知する検知手段を備え、
検知手段が開状態を検知しているときには、噴射体への流体供給源からの流体の供給が停止される
ことを特徴とする、請求項１から５までのいずれかに記載のキャブのワイパー補助装置。
【発明の詳細な説明】
【技術分野】
【０００１】
本発明は、建設機械などのキャブにおいて、雨天でない場合においても、ワイパーによって、窓に付着した塵埃などによる汚れを効率よく拭い取ることができ、視界を確保することができるワイパー補助装置に関する。
【背景技術】
【０００２】
建設機械などのキャブの窓には、作業視界を確保するために、ガラス面にかかる雨滴を拭い取る装置であるワイパーが備えられている（例えば、特許文献１参照）。ワイパーは電動モーターによって駆動され、適宜に、払拭速度が切換えられ、またワイパーブレードの部分からウオッシャ液が吹き出される。
【０００３】
特に建設機械のキャブのガラス窓には、雨天でない場合においても、作業現場の塵、埃、泥水などの汚れが付着する。この汚れは、作業視界を確保するために、ワイパーを作動させ拭い取られる。
【０００４】
建設機械の代表例であるブルドーザ、ホイールローダは、走行しながらの作業が主体である。したがって、キャブ内の運転者からの視界を確保するために、ワイパーはキャブの複数個所、例えば前面および左右両側面に装備されている。
【特許文献１】特開平８−２６８２３８号公報（第１図）
【発明の開示】
【発明が解決しようとする課題】
【０００５】
上述したとおりの形態の従来のキャブのワイパーには、次のとおりの解決すべき課題がある。
【０００６】
作動不具合：
ワイパーは雨天での作動を前提にしているので、雨天でない場合に乾燥したガラス面もしくは塵埃で払拭抵抗が増したガラス面を拭き続けると、ワイパーブレードの損傷、ワイパーの作動停止などの不具合が発生するか、窓を適切に拭き取れない可能性もある。
【０００７】
作動不具合対策：
ワイパーの作動不具合を防止するための、ワイパーのガラス面への押付力を減らす、電動モーターの容量を上げる、ワイパーのゴムブレードをブラシなど抵抗の少ないものに変更する、などの対策は、それぞれに、拭き取り能力の低下、電動モーターの大型化、雨天時の雨滴払拭機能の低下、などの問題がある。
【０００８】
ウオッシャ液：
乾燥したガラス面にワイパーのウオッシャ液を噴射すると、ウオッシャ液は粘性が高く、また噴射量が少なく、さらに噴射にむらがあるので、塵埃はウオッシャ液によって団粒化しやすい。したがって、十分な払拭視界を得るのが難しい。
【０００９】
本発明は上記事実に鑑みてなされたもので、その技術的課題は、ワイパーにより、雨天でない場合の乾燥状態のガラス面の塵埃などによる汚れを、ワイパーそのものを変更することなく、容易に払拭することができ、視界を確保することができる、キャブのワイパー補助装置を提供することである。
【課題を解決するための手段】
【００１０】
本発明によれば上記技術的課題を解決するキャブのワイパー補助装置として、ワイパーにより払拭されるガラス窓に向けて流体を噴射する複数個の噴射口を有した噴射体と、加圧した流体を噴射体に断続自在に供給する流体供給源とを備えている、ことを特徴とするキャブのワイパー補助装置が提供される。
【００１１】
好適には、流体供給源は、流体のタンクと、流体の供給を断続する断続手段と、断続手段を操作する操作手段とを備えている。噴射体は、ガラス窓の縁部に沿って延びる管体を備え、管体の内外を貫通する噴射口としての貫通穴を備え、該流体は管体内に供給される。管体に取り付けた噴射口としての噴射ノズルを備え、管体内を通し流体供給源につながる配管により該流体を噴射ノズルに供給してもよい。
【００１２】
また、ワイパーにより払拭されるガラス窓を有したドアの開状態を検知する検知手段を備え、検知手段が開状態を検知しているときには、噴射体への流体供給源からの流体の供給が停止される。
【発明の効果】
【００１３】
本発明に従って構成されたキャブのワイパー補助装置は、ワイパーにより払拭されるガラス窓に向けて流体を噴射する複数個の噴射口を有した噴射体と、加圧した流体を噴射体に断続自在に供給する流体供給源を備えている。
【００１４】
したがって、雨天でない場合の乾燥状態のガラス面に付着する塵埃などによる汚れは、流体を流体供給源から噴射体に適宜に供給しガラス窓に噴射することにより、ワイパーそのものを変更することなく、ワイパーによって容易に払拭することができ、視界を確保することができる。
【発明を実施するための最良の形態】
【００１５】
以下、本発明に従って構成されたキャブのワイパー補助装置について、代表的な建設機械であるブルドーザのキャブにおける好適実施形態を図示している添付図面を参照して、さらに詳細に説明する。
【００１６】
図４を参照して先ずブルドーザについて説明する。全体を番号２で示すブルドーザは、左右（図２の紙面に垂直方向）に一対の履帯式の走行装置４，４を有した機体６と、機体６の前端側（図２の左端側）に油圧シリンダによって昇降動を自在に装備されたドーザ装置８と、機体６の後端側（図２の右端側）に油圧シリンダによって昇降動を自在に装備されたリッパ装置１０を備えている。機体６の前部にはエンジン室１２が、また後部には運転席を有したキャブ１４が備えられている。
【００１７】
図１を参照して説明する。キャブ１４は、前後左右、そして天井それぞれの面を有した略矩形形状のキャブ本体１６を備えている。下面は開放され機体６（図４）の床部の上に取り付けられている。キャブ本体１６の前面（図１の左側）にはガラス窓である前窓１８が左側面（図１の右側）には前窓１８側にドア窓であるガラス窓２０を有した左ドア２２およびその後方にガラス窓である左側面窓２４がそれぞれ備えられている。図１において前面および左側面の裏側になる右側面には、同様にガラス窓を有した右ドアおよび右側面窓（図示していない）が備えられている。
【００１８】
前窓１８は、略正方形の嵌め殺し窓に形成されている。前窓１８の上側縁部のキャブ本体１６に、前窓１８を払拭するためのワイパー２６が取り付けられている。
【００１９】
左ドア２２は、縦長の略長方形に形成され、ガラス窓２０は略全面に嵌め殺し窓に形成されている。左ドア２２は、キャブ本体１６に前側（前窓１８側）を開閉側にして後側（左側面窓２４側）を鉛直に延びるヒンジ２８により開閉自在に取り付けられている。開閉ハンドル３０が前窓１８側に備えられている。左ドア２２のヒンジ２８の下方縁部には、ガラス窓２０を払拭するためのワイパー３２が取り付けられている。
【００２０】
キャブ１４は、ワイパー補助装置３４を備えている。ワイパー補助装置３４は、ワイパー２６，３２それぞれにより払拭されるガラス窓１８，２０に向けて流体としての水を噴射する複数個の噴射口３６を有した噴射体としての管体３８と、加圧した水を管体３８に断続自在に供給する流体供給源４０を備えている。
【００２１】
キャブ１４の右側面には管体３８と対称に形成された管体３９を備えている。右側面の右ドアにもワイパーが備えられ（図示していない）、管体３９の噴射口にも流体供給源４０から加圧した水が供給される。
【００２２】
流体供給源４０は、エンジン室１２（図４）に設置された水のタンク４２と、タンク４２と管体３８を結ぶ配管４４と、配管４４の途中に設置され管体３８への水の供給を断続する断続手段としての電磁開閉弁４６と、電磁開閉弁４６を操作する操作手段としての操作スイッチ４８を備えている。操作スイッチ４８はキャブ１４内に設置されている。
【００２３】
図１ともに図２を参照して説明する。管体３８は、中空材であるパイプを、前窓１８および左ドア２２の間の縁部に沿って延びる鉛直部３８ａおよび左ドア２２の上方の縁部であるキャブ本体１６の天井面に沿って延びる水平部３８ｂを有する略Ｌ字型に、曲げて形成されている。管体３８はキャブ本体１６から離され、両端部がキャブ本体１６に固定されている。管体３８は、キャブ１４の乗降用またキャブ１４の周縁での作業用の手摺りとして兼用される。
【００２４】
管体３８は、中空材の内外を貫通し軸方向に複数個形成された噴射口としての貫通穴３６を備えている。複数個の貫通穴３６はそれぞれ、水をガラス面１８、２０に噴射する方向に向けられている。
【００２５】
タンク４２には吐出ポンプ４２ａが備えられている。吐出ポンプ４２ａは、後に述べる操作手段の操作スイッチ４８のオンオフに連動して作動がオンオフされる。
【００２６】
電磁開閉弁４６は、通電励磁されると配管４４を連通させる「開状態」になり、通電されないときは「閉状態」になる。
【００２７】
ワイパー３２により払拭されるガラス窓２０を有した左ドア２２の部分には「開状態」を検知する検知手段としてのリミットスイッチ５０を備えている。リミットスイッチ５０は左ドア２２の「閉状態」においてオンになり「開状態」においてオフになり、電源５２と操作スイッチ４８の間の通電をオンオフする。
【００２８】
したがって、検知手段としてのリミットスイッチ５０が左ドア２２の「開状態」を検知しているときには、管体３８への流体供給源４０からの水の供給は停止される。
【００２９】
右側面の管体３９には、電磁開閉弁４４を通した配管４４が分岐されて接続されている。右ドアには左ドア２２と同様に「開状態」の検知手段であるリミットスイッチ５０が備えられている。
【００３０】
上述したとおりのキャブのワイパー補助装置３４の作用効果について説明する。
【００３１】
ワイパー補助装置３４は、ワイパー２６、３２により払拭されるガラス窓１８、２０に向けて流体としての水を噴射する複数個の貫通穴（噴射口）３６を有した管体（噴射体）３８と、加圧した水を管体３８に断続自在に供給する流体供給源４０を備えている。
【００３２】
したがって、雨天でない場合の乾燥状態のガラス面に付着する塵埃などによる汚れは、水を、流体供給源４０から管体３８に適宜に供給し、ガラス窓１８、２０に噴射することにより、ワイパー２６、３２そのものを変更することなく、ワイパー２６、３２によって容易に払拭することができ、視界を確保することができる。
【００３３】
流体供給源は４０、水のタンク４２と、水の供給を断続する電磁開閉弁４６と、この電磁開閉弁４６を操作する操作スイッチ４８を備えている。したがって、タンク４２に必要とする十分の量の水を収容し、操作スイッチ４８を操作することにより、必要なときに任意に水を噴射させることができる。
【００３４】
ガラス窓の縁部に沿って延びる管体３８によって噴射体が形成されている。したがって、管体３８は、キャブ１４の乗降用またキャブ１４の周縁での作業用の手摺りと兼用することができ、ワイパー補助装置３４を安価に提供できる。
【００３５】
噴射体としての管体３８は中空材によって形成され、噴射口は中空材の内外を貫通する貫通穴３６によって形成されている。したがって、噴射体とともに噴射口を容易に安価に用意できる。
【００３６】
ワイパー３２により払拭されるガラス窓２０を有したドア２２の「開状態」を検知する検知手段としてのリミットスイッチ５０を備え、「開状態」が検知されているときには、噴射体である管体３８への流体供給源４０からの水の供給が停止されるので、キャブ１４内の作業者が不用意にドア２２を開けた場合に、室内に水が噴射され侵入するのが防止される。
【００３７】
以上、本発明を実施例に基づいて詳細に説明したが、本発明は上記の実施例に限定されるものではなく、例えば下記のように、本発明の範囲内においてさまざまな変形あるいは修正ができるものである。
【００３８】
本発明の実施の形態においては、噴射口は管体３８に備えた貫通穴３６によって形成されているが、より高圧の噴射を行えるように、図３に示すように、噴射口としての噴射ノズル３７を管体３８に取り付け、管体３８内を通し流体供給源４０につながるホースなどによる配管４１により流体を噴射ノズル３７に供給してもよい。
【００３９】
本発明の実施の形態においては、噴射体としての管体３８は鉛直部３８ａおよび水平部３８ｂを有した略Ｌ字型に形成されているが、キャブの形状、予想されるガラス窓の汚れ程度などによって、鉛直部、水平部は別体に形成してもよいし、いずれか一方だけにしてもよい。
【００４０】
本発明の実施の形態においては、流体として水が用いられているが、流体は水に限定されるものではなく、キャブ１４を取り巻く周囲環境などによって、例えば化学物質など水が使えない場合には、流体として圧縮空気を用いてもよい。
【００４１】
本発明の実施の形態においては、キャブ１４はブルドーザ２に装備され、ワイパー補助装置３４は、キャブ１４の前窓および左右のドアのガラス窓に適用されているが、キャブはブルドーザ用に限定されるものではない。また、ワイパー補助装置３４が適用されるガラス窓は３個に限定されるものではない。
【図面の簡単な説明】
【００４２】
【図１】本発明に従って構成されたワイパー補助装置を備えたキャブの斜視図。
【図２】図１のＡ−Ａ矢印方向に見た拡大断面図。
【図３】図１のＡ−Ａ矢印方向に見て他の実施形態を示した拡大断面図。
【図４】図１に示すキャブを備えたブルドーザの側面図。
【符号の説明】
【００４３】
２：ブルドーザ
１４：キャブ
１８：前窓（ガラス窓）
２０：ドア窓（ガラス窓）
２６：ワイパー
３２：ワイパー
３４：ワイパー補助装置
３６：貫通穴（噴射口）
３７：噴射ノズル（噴射口）
３８：管体（噴射体）
４０：流体供給源
４２：タンク
４６：電磁開閉弁（断続手段）
４８：操作スイッチ（操作手段）
５０：リミットスイッチ（検知手段）
【図１】
2007276675.tif 000003
【図２】
2007276675.tif 000004
【図３】
2007276675.tif 000005
【図４】
2007276675.tif 000006